(57)【特許請求の範囲】
【請求項１】
児が横たえられる臥床台と、
前記臥床台の側方に垂直に設けられたガイド柱と、
前記臥床台の斜め上方で前記ガイド柱の上端部に配置され、略水平方向に延び、軸線中心に所定範囲で往復回転可能に設けられた第１支持軸と、
前記第１支持軸に固定され、この第１支持軸と一体に回動する回転ステーと、
この回転ステーに設けられ、前記第１支持軸と略平行な第２支持軸と、
前記臥床台の斜め上方に配置され、前記第２支持軸を中心として前記回転ステーに対して所定範囲で往復回動可能に支持され、前記臥床台の上面に向けて斜めに熱線を照射可能な加熱器と
を備え、
前記回転ステーが前記第１支持軸を中心として所定範囲で往復回動されることにより、前記加熱器が前記回転ステーと一体に回動し、前記加熱器の姿勢が熱線を照射する加熱姿勢と前記臥床台の上方から退避する収納姿勢とに変更可能であるとともに、
前記加熱姿勢において、前記加熱器が前記第２支持軸を中心として前記回転ステーに対して所定範囲で往復回動されることにより、前記加熱器の熱線照射角度がさらに変更可能であることを特徴とする保育器。
【請求項２】
前記第１支持軸に接続されて一体に回動可能なリンク部材と、このリンク部材に係合して略鉛直に延びるロッドとをさらに備え、前記ロッドの上下動に伴って前記リンク部材が所定範囲で往復回動されることにより、前記第１支持軸と一体に前記回転ステーが所定範囲で往復回動されることを特徴とする請求項１に記載の保育器。
【発明の詳細な説明】
【技術分野】
【０００１】
本発明は、保育器に関する。
【背景技術】
【０００２】
未熟児等に対して適切な生理的環境を提供するための保育器には、児を横たわらせる児用マットレスと、児用マットレスの上面に熱線を放射する加熱器とが備えられている。
【０００３】
例えば、特許文献１には、児用マットレスの上方からずれた位置に配置されていても、児用マットレスの上面全体を略一様に加温可能な加熱器を備える保育器が開示されている。この保育器は、加熱器がマットレス直上に配置されていないため、Ｘ線撮影や処置を行う場合にも加熱器が妨げとならず、児をマットレス上面のいずれの箇所に横たわらせても確実に加温しながら治療や処置を施すことを可能としている。
【０００４】
また、特許文献２には、閉鎖型と開放型との兼用が可能な保育器において、天面フードの昇降を妨げないように収容可能な加熱器が開示されている。
【先行技術文献】
【特許文献】
【０００５】
【特許文献１】特開２０１０−８２３２５号公報
【特許文献２】特開２０１０−２５９６５１号公報
【発明の概要】
【発明が解決しようとする課題】
【０００６】
特許文献１に開示の保育器に備えられた加熱器によれば、Ｘ線撮影や処置を妨げずに、児用マットレス上の広い範囲を略一様に加温することができる。しかしながら、加熱器がマットレスの直上に配置されていないため、加熱器から離れるほど、マットレス上面に対する加熱器からの熱線の照射角度が鋭角となり、熱線の照射範囲が上下方向に小さくなる。このため、児の頭部が加熱器側に位置していない場合にはマットレス上面から高さのある頭部が熱線照射範囲から外れ、加温されにくくなるおそれがある。
【０００７】
本発明は、このような事情に鑑みてなされたもので、児に対する処置や検査の邪魔とならず、マットレス上の任意の位置に収容された児に対して最適な温度環境を提供でき、処置者に対する熱の影響の小さい加熱器を備える保育器を提供することを目的とする。
【課題を解決するための手段】
【０００８】
本発明の保育器は、児が横たえられる臥床台と、前記臥床台の側方に垂直に設けられたガイド柱と、前記臥床台の斜め上方で前記ガイド柱の上端部に配置され、略水平方向に延び、軸線中心に所定範囲で往復回転可能に設けられた第１支持軸と、前記第１支持軸に固定され、この第１支持軸と一体に回動する回転ステーと、この回転ステーに設けられ、前記第１支持軸と略平行な第２支持軸と、前記臥床台の斜め上方に配置され、前記第２支持軸を中心として前記回転ステーに対して所定範囲で往復回動可能に支持され、前記臥床台の上面に向けて斜めに熱線を照射可能な加熱器と備え、前記回転ステーが前記第１支持軸を中心として所定範囲で往復回動されることにより、前記加熱器が前記回転ステーと一体に回動し、前記加熱器の姿勢が熱線を照射する加熱姿勢と前記臥床台の上方から退避する収納姿勢とに変更可能であるとともに、前記加熱姿勢において、前記加熱器が前記第２支持軸を中心として前記回転ステーに対して所定範囲で往復回動されることにより、前記加熱器の熱線照射角度がさらに変更可能である。
【０００９】
加熱器が臥床台の斜め上方に配置されていると、臥床台に対して熱線が斜めに照射されるので、加熱器から離れるほど熱線の照射範囲が上下方向に小さくなる。これに対して、この保育器によれば加熱姿勢の加熱器をさらに回動させることにより熱線の照射角度を調整できるので、熱線の照射範囲から児の体の一部が外れた場合であっても、児の体全体が熱線の照射範囲内となるように加熱器の角度を調整することができる。
【００１０】
この保育器において、前記第１支持軸に接続されて一体に回動可能なリンク部材と、このリンク部材に係合して略鉛直に延びるロッドとをさらに備え、前記ロッドの上下動に伴って前記リンク部材が所定範囲で往復回動されることにより、前記第１支持軸と一体に前記回転ステーが所定範囲で往復回動されることが好ましい。
【００１１】
加熱器の回動にリンク機構を用いることにより、駆動部を加熱器周辺ではなく例えば臥床台よりも下方に配置するなど加熱器周辺の構造を簡素にすることができるが、リンク機構では加熱器の回動範囲が限定されるため、加熱姿勢での熱線照射角度の調整は難しい。これに対し、本発明の保育器によれば、回転ステーを回動させるリンク機構とは別に回転ステーに対して加熱器を所定範囲で往復回動させる構造を備えているので、容易に熱線照射角度を変更することができる。
【発明の効果】
【００１２】
本発明の保育器によれば、児に対する処置や検査の邪魔とならず、マットレス上の任意の位置に収容された児に対して最適な温度環境を提供でき、処置者に対する熱の影響の小さい加熱器を備える保育器を提供することができる。
【図面の簡単な説明】
【００１３】
【図１】本発明の実施形態に係る保育器（閉鎖型状態）を示す斜視図である。
【図２】図１の保育器を示す側面図である。
【図３】図１の保育器において、一方の側部処置扉を開いた状態を示す側面図である。
【図４】図１の保育器（開放型状態）を示す背面図である。
【図５】図１の保育器（開放型状態）を示す斜視図である。
【図６】図１の保育器（開放型状態）を示す側面図である。
【図７】図１の保育器に備えられる加熱器（加熱姿勢）を示す正面図である。
【図８】加熱器を示す斜視図である。
【図９】加熱器を構成する反射器を示す斜視図である。
【図１０】図７のＡ−Ａ線に沿い、加熱姿勢と収納姿勢との間で加熱器を回動させる機構を示す断面図である。
【図１１】図７のＢ−Ｂ線に沿い、加熱姿勢の加熱器をさらに回動させる機構を示す断面図である。
【図１２】この保育器において加熱器の熱線の照射方向が調節される状態を示す模式図である。
【発明を実施するための形態】
【００１４】
以下、本発明の保育器の一実施形態について説明する。本発明の保育器１は、児が横たえられる臥床台１４と、臥床台１４の斜め上方に配置され、略水平方向に延び、軸線中心に所定範囲で往復回転可能に設けられた第１支持軸２５と、第１支持軸２５に固定され、第１支持軸２５と一体に回動する回転ステー２９と、回転ステー２９に設けられ、第１支持軸２５と略平行な第２支持軸３３と、臥床台１４の斜め上方に配置され、第２支持軸３３を中心として回転ステー２９に対して所定範囲で往復回動可能に支持され、臥床台１４の上面に向けて斜めに熱線を照射可能な加熱器１１とを備える。
【００１５】
保育器１は、図１〜図６に全体を示したように、キャスター２により移動自在な架台３と、この架台３の上に垂直に立設された支柱４と、この支柱４の上端に設けられたフレーム５と、このフレーム５の上に設置された基台６と、この基台６の上に設けられ児収容室７を囲むフード８と、フレーム５の一端部でフード８の側方位置に垂直に設けられた第１ガイド柱９および第２ガイド柱１０と、第２ガイド柱１０の上端に設けられた加熱器１１と、第１ガイド柱９の上端に取り付けられフード８の天井を構成するキャノピー（天蓋）１２とを備えている。支柱４は内部にフレーム５を上下移動する昇降機構を内蔵しており、架台３の側部に、昇降機構を操作するためのペダル１３が設けられている。
【００１６】
フード８は、児を寝かせる臥床台１４が設置される床板１５と、児の左右に配置される側部処置扉１６，１７と、児の足側に配置される足側処置扉１８と、児の頭側に配置される頭側処置扉１９と、これら側部処置扉１６，１７、足側処置扉１８および頭側処置扉１９により囲まれた児収容室７の上方を閉塞するキャノピー１２とにより、略直方体状に構成される。側部処置扉１６，１７、足側処置扉１８、頭側処置扉１９およびキャノピー１２は、略全体が透明樹脂によって構成されており、外部から児収容室７内の児を目視確認できる。
【００１７】
図１〜図３ではキャノピー１２を下降させてフード８を閉じた状態、図４〜図６はキャノピー１２を上昇させて児収容室７の上方を開放した状態を示している。また、この図４〜図６においては、加熱器１１も上昇させて加熱姿勢とし、児収容室７を加熱している。このように、この保育器１は、図１〜図３に示す閉鎖型保育器、および図４〜図６に示す開放型保育器の両方の形態の機能を有している。
【００１８】
各処置扉１６〜１９のうち、頭側処置扉１９は、児収容室７の頭側に立設した垂直姿勢に維持される。これに対して、側部処置扉１６，１７および足側処置扉１８は、その下端部が基台６に対して水平な軸（図示略）を中心に揺動自在に取り付けられている。児に対する診察、処置などを任意の方向から行うために、これら処置扉１６〜１８の一つあるいは複数を下方に倒すことにより、児収容室７の側方の一部又は三方を開放状態とすることができる。図３は側部処置扉１６を回動させて、児収容室７の一側方を開放状態としている。
【００１９】
閉鎖型保育器として使用する場合は、キャノピー１２を下降させるとともに、各処置扉１６〜１８とも閉鎖した状態とされ、児のケアのために側部処置扉１６，１７を開閉する。開放型保育器として使用する場合は、キャノピー１２を上昇させるとともに、児のケアのために側部処置扉１６，１７および足側処置扉１８の三方を開閉することができる。
【００２０】
側部処置扉１６，１７および足側処置扉１８には手入れ窓２０が設けられ、閉鎖型保育器として使用する際に、処置扉１６〜１８を起立させた状態のまま開閉することができるようになっている。頭側処置扉１９には、図４に示すように、ケーブルやチューブ等を挿通させるためのスリットを有するグロメット部材２１が取り付けられている。
【００２１】
児収容室７内の床板１５の上には、児を載せる臥床台１４が設けられている。この臥床台１４は、長さ方向の中央部が水平な軸（図示略）により揺動自在に支持されるとともに、頭側の一端部が昇降機構２２に支持され、この一端部を持ち上げることにより、水平方向に対して傾斜した姿勢に保持できるようになっている。その昇降機構２２は、フード８の外側に設けられる。
【００２２】
第１ガイド柱９には、同軸上に昇降柱２３が収容され、この昇降柱２３を上下移動させる昇降機構が内蔵されている。同様に、第２ガイド柱１０には、同軸上に昇降柱２４が収容され、この昇降柱２４を上下移動させる昇降機構が内蔵されている。キャノピー１２は、第１ガイド柱９の昇降柱２３の上端に取り付けられており、その下降位置で各処置扉１６〜１９の上端に当接して児収容室７を閉鎖し（図１〜図３）、上昇位置では、処置扉１６〜１９から児の処置のための十分な間隔をあけて退避できる（図４〜図６）。
【００２３】
加熱器１１は、図６および図７に示すように、第２ガイド柱１０の昇降柱２４の上端に、略水平な第１支持軸２５を中心に所定範囲で往復回動可能に取り付けられており、昇降柱２４が下降された位置では、図１〜図３に示すように、第２ガイド柱１０と略平行な垂直方向に折り畳まれた収納姿勢とされ、昇降柱２４が上昇された位置では、図４〜図７に示すように、垂直方向に対して所定の角度に起こされて児収容室７に上方から熱線を供給する加熱姿勢とされる。加熱器１１を収納姿勢とした状態では、この加熱器１１によって妨げられることなくキャノピー１２を昇降させることができる。
【００２４】
加熱器１１は、図７〜図９に示すように、略ロッド状の発熱体２６、発熱体２６の後方を覆うように支持してその熱線を所定方向に向けて反射させる反射器２７，および反射器２７の後方および側方を覆う反射器カバー２８を備え、回転ステー２９を介して第１支持軸２５に片持ち支持されている。発熱体２６には、セラミックスヒータ、石英ヒータ、ステンレスヒータ等を用いることができる。反射器カバー２８は、耐熱性合成樹脂等によって形成される。反射器２７と反射器カバー２８とは互いに固定されており、これらの間に配置され第１支持軸２５と一体に設けられた回転ステー２９に対して、所定の範囲で往復回動可能となっている（図９）。
【００２５】
反射器２７は、図８および図９に示すように、金属板の折り曲げ加工により下方に向けて開放する略箱状に形成され、反射器カバー２８の内部に収容された状態で固定されている。発熱体２６は、反射器２７の側方反射板２７ａに設けられた貫通穴２７ｂを貫通して配置され、その両端部が各側方反射板２７ａの外面に設けられたソケット３０に取り付けられることにより、このソケット３０を通じて給電可能な状態で固定される。反射器２７を形成する金属板は、例えば、純度９９％以上のアルミニウム製であり、反射面の熱線反射率は例えば９５％以上とする。
【００２６】
この保育器１では、図１０に示すように、加熱器１１の回動駆動機構として、第１支持軸２５に接続されて一体に回動可能なリンク部材３１と、リンク部材３１に係合して略鉛直に延びるロッド３２とを備えるリンク機構が採用されている。この回動駆動機構においては、ロッド３２の上下動に伴ってリンク部材３１が所定範囲で往復回動されることにより、第１支持軸２５と一体に回転ステー２９が所定範囲で往復回動され、これにより回転ステー２９に取り付けられた加熱器１１が回動される。このリンク機構を用いて所定の角度範囲で第１支持軸２５を回動させることにより、加熱器１１の姿勢を収納状態と加熱状態とに変更することができる。
【００２７】
第１支持軸２５を回転させるリンク機構について、より具体的に説明する。第１支持軸２５と一体に形成されたリンク部材３１には、図１０に示すように、長穴３１ａが形成されている。この長穴３１ａには、ロッド３２の上端部に設けられた係合ピン３２ａが係合している。ロッド３２は、略鉛直方向に往復動可能なように、図示しないバネによって往復動方向に付勢された状態で第２ガイド柱１０に支持されている。また、第２ガイド柱１０の上端部内部には、リンク部材３１の回動幅を制限する加熱時ストッパー１０ａ，収納時ストッパー１０ｂが取り付けられている。
【００２８】
このリンク機構において、図１０に示すように、ロッド３２が下降した状態では、リンク部材３１が長穴３１ａに係合したロッド３２の係合ピン３２ａによって第１支持軸２５を中心として回動されて加熱時ストッパー１０ａに当接した状態で保持されることにより、加熱器１１の姿勢が加熱状態に設定される。一方、ロッド３２が上昇した状態では、係合ピン３２ａが上昇することにより、リンク部材３１が時計回りに回動されて収納時ストッパー１０ｂに当接した状態で保持され、加熱器１１の姿勢が収納状態に設定される。したがって、このリンク機構によって回動される回転ステー２９の角度は、加熱状態と収納状態との間に制限される。
【００２９】
このリンク機構によって回転される第１支持軸２５に固定された回転ステー２９は、図８および図９に示すように、加熱器１１の内側の反射器２７と反射器カバー２８との間に設けられている。反射器２７および反射器カバー２８は、回転ステー２９に設けられた第２支持軸３３によって連結され、回転ステー２９に対して一体にこの第２支持軸３３を中心として回転可能かつ所定角度位置で固定可能に取り付けられている。図１１に示すように、第２支持軸３３は第１支持軸２５とは異なる位置に設けられている。この第２支持軸３３を中心とする反射器２７および反射器カバー２８と回転ステー２９との相対回転角度は、反射器２７の側方反射板２７ａに固定された係合ピン３４と回転ステー２９に形成された長穴３５との係合によって、所定範囲に規制されている。
【００３０】
回転ステー２９には、図１１に示すように、反射器２７の側方反射板２７ａに向けて突出するボールプランジャ３６が設けられている。これに対して、反射器２７の側方反射板２７ａには、図９に示すように、このボールプランジャ３６の先端が係合する第１係合穴３７ａおよび第２係合穴３７ｂが設けられている。加熱器１１が通常の加熱姿勢にある状態において、反射器２７に設けられたボールプランジャ３６が回転ステー２９の第１係合穴３７ａに係合している場合、反射器カバー２８の下面は水平方向に対して２４度傾斜した状態に維持される。この加熱姿勢において、反射器２７を回転ステー２９に対して第２支持軸３３を中心として回転させ、ボールプランジャ３６を第２係合穴３７ｂに係合させると、反射器カバー２８の下面は水平方向に対して２８度傾斜した状態に維持される。
【００３１】
つまり、加熱器１１は、ロッド３２の昇降を利用するリンク機構により、回転ステー２９の回転に伴って第１支持軸２５を中心として回動して加熱姿勢に設定されるとともに、さらに回転ステー２９に対して回動させることにより、加熱姿勢からわずかに（本実施形態では４度）回転して、熱線の照射方向を変更させることができる。この回転ステー２９に対する加熱器１１の回転は、手動により行うことができる。
【００３２】
以上のように構成された保育器１において、図５に示すようにキャノピー１２を上昇させた状態で、加熱姿勢の加熱器１１から児収容室７に上方から熱線を供給することができる。キャノピー１２を下降させてフード８を閉じた状態とキャノピー１２を上昇させて児収容室７の上方を開放した状態との間でキャノピー１２を昇降させる際に加熱器１１が妨げとならないように、加熱器１１は児収容室７（臥床台１４）の直上ではなく、頭側処置扉１９の外側に配置され、キャノピー１２の移動動線から退避して収納可能となっている。このため、図１２に示すように、加熱器１１からの熱線は児収容室７の臥床台１４に対して斜めから投射される。また、この保育器１では、加熱器１１を児収容室７の直上から退避させることにより、児に対する処置やＸ線検査などを加熱器１１に邪魔されずに行うことが可能となっている。
【００３３】
加熱器１１の熱線照射範囲は、臥床台１４の上面をすべて均一な温度環境にするように、また処置者を加熱しないように、図１２に実線で示すように、臥床台１４の上面から大きくはみ出さないように設定されている。通常は、図１２に実線で示すように、児の頭が頭側処置扉１９側に位置するように臥床台１４の略中央に児が収容されるので、児は加熱器１１からの熱線の照射範囲内に収まり、適切な温度状態に保たれる。しかしながら、図１２に２点鎖線で示すように、児の頭が足側処置扉１８側に位置するように、かつ足側処置扉１８側に近い位置に児が収容された場合、児の体の一部が熱線照射範囲から外れてしまう。
【００３４】
この保育器１において、臥床台１４の隅に収容された児を加熱するには、加熱器１１の角度を変更して熱線照射範囲を変更することが考えられる。しかしながら、加熱器１１の角度はロッド３２の昇降によるリンク機構によって変更されるため、このリンク機構を用いた場合には、加熱器１１の角度は加熱姿勢と収納姿勢との間に限定され、通常の加熱姿勢よりも足側処置扉１８側に熱線照射範囲をずらすことが難しい。これに対して、本発明の保育器１によれば、加熱器１１を加熱姿勢と収納姿勢とに変更するためのリンク機構とは別の回動構造を備えているので、この回動構造を用いて加熱器１１をさらに回動させることにより、図１２に２点鎖線で示すように熱線照射範囲を足側処置扉１８側にずらすように変更できる。したがって、この保育器１によれば、臥床台１４上のどこに収容されていても児の体全体が含まれるように、熱線照射範囲を調節できる。
【００３５】
なお、本発明は前記実施形態の構成のものに限定されるものではなく、細部構成においては、本発明の趣旨を逸脱しない範囲において種々の変更を加えることが可能である。
【符号の説明】
【００３６】
１  保育器
２  キャスター
３  架台
４  支柱
５  フレーム
６  基台
７  児収容室
８  フード
９  第１ガイド柱
１０  第２ガイド柱
１０ａ  加熱時ストッパー
１０ｂ  収納時ストッパー
１１  加熱器
１２  キャノピー（天蓋）
１３  ペダル
１４  臥床台
１５  床板
１６，１７  側部処置扉
１８  足側処置扉
１９  頭側処置扉
２０  手入れ窓
２１  グロメット部材
２２  昇降機構
２３，２４  昇降柱
２５  第１支持軸
２６  発熱体
２７  反射器
２７ａ  側方反射板
２７ｂ  貫通穴
２８  反射器カバー
２９  回転ステー
３０  ソケット
３１  リンク部材
３２  ロッド
３３  第２支持軸
３４  係合ピン
３５  長穴
３６  ボールプランジャ
３７ａ  第１係合穴
３７ｂ  第２係合穴
【図１】
0005945452.tif 000002
【図２】
0005945452.tif 000003
【図３】
0005945452.tif 000004
【図４】
0005945452.tif 000005
【図５】
0005945452.tif 000006
【図６】
0005945452.tif 000007
【図７】
0005945452.tif 000008
【図８】
0005945452.tif 000009
【図９】
0005945452.tif 000010
【図１０】
0005945452.tif 000011
【図１１】
0005945452.tif 000012
【図１２】
0005945452.tif 000013